(57)【特許請求の範囲】
【請求項１】
物品を収納した袋の袋口部を、一面に粘着部と非粘着部とが交互に形成された再使用可能テープで結束する再使用可能テープ結束機であって、テープ移送手段と、互いに噛み合う一対のギヤロールと、送り出し手段と、カッターとを備え、前記テープ移送手段は、前記再使用可能テープを袋口受取位置にある前記送り出し手段に向かって移送すると共に、前記粘着部が前記送り出し手段に達した時、前記再使用可能テープを停止させ、前記一対のギヤロールは、その間に前記袋の袋口部を挟み、周面の凹凸で袋口部を幅方向に押し縮めながら前記袋口受取位置の送り出し手段に送り込んで、前記再使用可能テープの粘着部に貼着させ、前記送り出し手段は、前記袋口受取位置において前記再使用可能テープ及び前記袋の袋口部を受け取ると共に、袋口結束位置へ回動して前記袋の袋口部及び再使用可能テープの袋貼着部分を、前記粘着部どうしが対向するようテープ先端側へ折り返し、前記カッターは、前記折り返された部分の上流側において前記再使用可能テープの非粘着部を切断することを特徴とした再使用可能テープ結束機。
【請求項２】
前記送り出し手段は、ストッパーアーム及び送り出しアームから成り、前記ストッパーアームは、前記袋口受取位置において前記再使用可能テープ及び前記袋の袋口部を受け取ると共に、袋口受渡し位置へ回動して前記送り出しアームに前記再使用可能テープ及び前記袋の袋口部を受渡し、前記送り出しアームは、前記袋口結束位置へ回動して前記ストッパーアームから受け取った前記袋の袋口部及び再使用可能テープの袋貼着部分を折り返すことを特徴とした請求項１に記載の再使用可能テープ結束機。
【請求項３】
前記テープ移送手段は、前記再使用可能テープを停止させて位置決めするソレノイドブレーキを有し、前記ストッパーアーム及び送り出しアームの回動と、前記ソレノイドブレーキの作動を共通の回転盤の回転で制御することを特徴とした請求項２に記載の再使用可能テープ結束機。
【請求項４】
前記テープ移送手段によるテープ移送経路の途中に、前記再使用可能テープの有無を検知するテープセンサーを設置し、テープ移送経路に前記再使用可能テープが無いことを前記テープセンサーが検知した時、前記ソレノイドブレーキを作動させると共に、警報を発することを特徴とした請求項３に記載の再使用可能テープ結束機。
【請求項５】
前記テープ移送手段は、前記再使用可能テープをガイドして、前記再使用可能テープに加わる張力により揺動するダンサーロールを有し、前記張力が増大して前記ダンサーロールが一方の揺動限界位置に達した時、前記再使用可能テープをテープリールから引き出すと共に、前記張力が低減して前記ダンサーロールが他方の揺動限界位置に達した時、前記再使用可能テープの引き出しを停止することを特徴とした請求項１〜４のいずれかに記載の再使用可能テープ結束機。
【発明の詳細な説明】
【技術分野】
【０００１】
本発明は、菓子等を収容した袋の袋口部を、一面に粘着部と非粘着部とが交互に形成された再使用可能テープで結束する再使用可能テープ結束機に関する。
【背景技術】
【０００２】
従来、物品を収納した袋の袋口部を巾着状に絞ってテープで結束する作業を自動的に行う結束機が種々提案されている。
例えば、特許文献１には、受取位置において受け取った袋の上部を首状に絞り、首部を介して袋を把持する絞り手段と、絞り手段を受取位置から巻付位置に移送する移送手段と、巻付位置において袋の首部に粘着テープを巻き付ける巻付手段を備えたテープ結束機が記載されている。
しかし、このテープ結束機は、袋口を絞る受取位置と、粘着テープを巻き付ける巻付位置とを移送手段で接続してあるので、装置が複雑で大型化しやすい。また、袋口を結束する粘着テープは全面に亘って粘着されるため、剥がすのが非常に面倒で、開封するには鋏等の刃物を用いる必要があった。
【０００３】
また、特許文献２には、テープ巻付体から引き出した粘着テープを袋の挿通路に案内する引き出し通路と、引き出し通路に設けられ、粘着テープの側縁を所定幅で粘着面側に折り返して非接着性の摘み部となる重合部を形成する重合部形成手段と、挿通路を移動する袋に係合突起が係合して回転される回転係合部材と、係合突起が当接摺動して粘着テープが貼着される止着部材と、挿通路を移動する袋に押し回されてカッター刃が止着部材の下方で粘着テープを切断するテープ切断レバーとを備えた結束用粘着テープカッターが記載されている。
【０００４】
この結束用粘着テープカッターで袋口に巻き付けた粘着テープの側縁には、長手方向に沿って非接着性の摘み部が形成されるので、摘み部をつまんで開くことにより、簡単に粘着部分を剥がして袋口を開口できる。
しかし、テープの粘着部分の幅が、同じ幅の粘着テープに比べて、折り返し部の幅の２倍だけ狭くなってしまうためで結束力が弱まり、いったん開封した後で袋口を封鎖しようとしても、粘着力の弱まった狭い粘着部分を再度接着するのが難しかった。
また、テープの側縁部を折り消す機構が必要であるばかりか、テープカッターの上流側に袋口を細く絞る絞り部を設けなければならないので、結束機全体として複雑で大型になりやすい。
【先行技術文献】
【特許文献】
【０００５】
【特許文献１】特開２００５-２８９５０１号公報
【特許文献２】特開２００６-１６１０４号公報
【発明の概要】
【発明が解決しようとする課題】
【０００６】
本発明が解決しようとする課題は、粘着部と非粘着部とが交互に形成された再使用可能テープを用いることによって、非粘着性の摘み部を形成するための機構を設ける必要が無く、構造が簡単で操作も容易な再使用可能テープ結束機を提供することにある。
【課題を解決するための手段】
【０００７】
本発明は、物品を収納した袋の袋口部を、一面に粘着部と非粘着部とが交互に形成された再使用可能テープで結束する再使用可能テープ結束機に関し、テープ移送手段と、互いに噛み合う一対のギヤロールと、送り出し手段と、カッターとを備え、前記テープ移送手段は、前記再使用可能テープを袋口受取位置にある前記送り出し手段に向かって移送すると共に、前記粘着部が前記送り出し手段に達した時、前記再使用可能テープを停止させ、前記一対のギヤロールは、その間に前記袋の袋口部を挟み、周面の凹凸で袋口部を幅方向に押し縮めながら前記袋口受取位置の送り出し手段に送り込んで、前記再使用可能テープの粘着部に貼着させ、前記送り出し手段は、前記袋口受取位置において前記再使用可能テープ及び前記袋の袋口部を受け取ると共に、袋口結束位置へ回動して前記袋の袋口部及び再使用可能テープの袋貼着部分を、前記粘着部どうしが対向するようテープ先端側へ折り返し、前記カッターは、前記折り返された部分の上流側において前記再使用可能テープの非粘着部を切断する。
【０００８】
前記送り出し手段は、ストッパーアーム及び送り出しアームから成り、前記ストッパーアームは、前記袋口受取位置において前記再使用可能テープ及び前記袋の袋口部を受け取ると共に、袋口受渡し位置へ回動して前記送り出しアームに前記再使用可能テープ及び前記袋の袋口部を受渡し、前記送り出しアームは、前記袋口結束位置へ回動して前記ストッパーアームから受け取った前記袋の袋口部及び再使用可能テープの袋貼着部分を折り返すようにしてもよい。
前記テープ移送手段が、前記再使用可能テープを停止させて位置決めするソレノイドブレーキを有し、前記ストッパーアーム及び送り出しアームの回動と、前記ソレノイドブレーキの作動を共通の回転盤の回転で制御するとよい。
【０００９】
この場合、前記テープ移送手段によるテープ移送経路の途中に、前記再使用可能テープの有無を検知するテープセンサーを設置し、テープ移送経路に前記再使用可能テープが無いことを前記テープセンサーが検知した時、前記ソレノイドブレーキを作動させると共に、警報を発するとよい。
前記テープ移送手段は、前記再使用可能テープをガイドして、前記再使用可能テープに加わる張力により揺動するダンサーロールを有し、前記張力が増大して前記ダンサーロールが一方の揺動限界位置に達した時、前記再使用可能テープをテープリールから引き出すと共に、前記張力が低減して前記ダンサーロールが他方の揺動限界位置に達した時、前記再使用可能テープの引き出しを停止させるのが望ましい。
【発明の効果】
【００１０】
請求項１に係る発明によれば、一面に粘着部と非粘着部とが交互に形成された再使用可能テープを用いて、両端が非粘着部となるよう袋の袋口部を結束できるので、結束用テープを刃物で切断したり、袋そのものを破くことなく、両端の非粘着部を摘まんで引き離すことにより、簡単に粘着部を剥がして開封することが可能であり、内容物の一部を取り出した後は、再度粘着部どうしを貼りつけて結束することができる。
また、テープに接着されない摘み部分を形成する必要が無く、袋口部を押し縮めながら再使用可能テープに貼りつけることができるため、装置の構造が簡単で小型化が可能である。
【００１１】
請求項２に係る発明によれば、袋の袋口部及び再使用可能テープの袋貼着部分をスムーズに送り出すことができる。
請求項３に係る発明によれば、袋及び再使用可能テープの送り出しと、再使用可能テープの位置決めを共通の回転盤の回転により制御しているので、再使用可能テープをいったんセットしてしまえばこれらの動作を正確に行なうことができ、両端部が非粘着部となるように再使用可能テープで袋口部を正確に結束できる。
また、回転盤の回転による制御は、チェーン機構等に比べて構造が簡単で、タイミングが狂いにくく、運転操作に熟練した技術を必要としない。
【００１２】
請求項４に係る発明によれば、再使用可能テープが突然切断された場合には、再使用可能テープが停止すると共に、警報を出すので、袋口部を結束しないまま袋が排出されるのを防止できる。
請求項５に係る発明によれば、ダンサーロールで再使用可能テープの張力を適切に保つことができるので、再使用可能テープの切断や袋口部への巻き付き状態のばらつきが防止され、結束された袋の見栄えも良い。
【図面の簡単な説明】
【００１３】
【図１】再使用可能テープで結束した袋の斜視図。
【図２】開封途中の袋の斜視図。
【図３】再使用可能テープの平面図。
【図４】本発明の実施例を示す再使用可能テープ結束機の袋受入れ時における側面図。
【図５】本発明の実施例を示す再使用可能テープ結束機のカッター作動時における側面図。
【図６】本発明の実施例を示す再使用可能テープ結束機の要部側面図。
【図７】本発明の実施例を示す再使用可能テープ結束機の袋受入れ時における要部斜視図。
【図８】本発明の実施例を示す再使用可能テープ結束機のカッター作動時における要部斜視図。
【図９】本発明の再使用可能テープ結束機による結束手順を示す図。
【発明を実施するための形態】
【００１４】
以下、本発明の実施例を図面に基づいて詳細に説明する。
本発明の再使用可能テープ結束機は、図１に示すように、物品を収納した袋Ａの袋口部を巾着状に絞り、再使用可能テープＢを巻き付けて結束するのに用いられる。
図３に示すように、再使用可能テープＢの一面には粘着部Ｂ１と非粘着部Ｂ２とが交互に形成され、再使用可能テープＢの他面は全面に亘って粘着性を有しない。
そして、粘着部Ｂ１が袋Ａの袋口部に貼り付くと共に互いに接着されて袋口結束部となり、非粘着部Ｂ２が両端の摘み部分となっている（図１）。
【００１５】
図４〜図６に示すように、本発明の再使用可能テープ結束機は、基台１と、それぞれ基台１に取り付けられた送り出し手段、テープ移送手段、一対のギヤロール３ａ，３ｂ、カッター５、及び、テープ押え部６とを備える。
基台１の上部には、２枚の支持板７が間隔をあけて平行に立設され、基台１の下部外側面には、再使用可能テープＢを巻き付けたテープリールＣが回動自在に取り付けられるようになっている。
また、図７及び図８に示すように、２枚の支持板７には、回転盤駆動モータ８で回動駆動される駆動軸９が架設され、駆動軸９の一端部に第１回転盤１０が固定され、駆動軸９の他端部に第２回転盤１１が固定されている。
【００１６】
送り出し手段は、それぞれ一方の支持板７の外面に回動可能に取り付けられたストッパーアーム２及び送り出しアーム４から成り、ストッパーアーム２が送り出しアーム４の外面に一部重なっている。
ストッパーアーム２の上端中間部には、上方に開口した切欠き１２が形成され、切欠き１２を挟んだ一方が長枝部１３となり、他方が短枝部１４となっている。
また、長枝部１３の側縁上部（切欠き１２と逆側の側縁上部）には、半円状に切り欠いた滞留部１５が形成されている。
【００１７】
送り出しアーム４の上部にはテープ受け部２０が突設され、テープ受け部２０の側縁には、ストッパーアーム２の滞留部１５とほぼ同じ高さに、滞留部１５と逆向きに開口した袋受取凹部１６が形成される。
また、送り出しアーム４の外面には作動ローラ１７が突設され、この作動ローラ１７がストッパーアーム２の切欠き１２及び短枝部１４の上面に摺接している。
さらに、送り出しアーム４には長孔１８が形成され、第１回転盤１０の外面に突設された突起１９が長孔１８に摺動自在に係合している。
【００１８】
従って、回転盤駆動モータ８が駆動して第１回転盤１０及び突起１９が回転すると、突起１９と係合している長孔１８が押されて、送り出しアーム４及びこれに取り付けられた作動ローラ１７が正回転（図３及び図４の反時計回り）し、作動ローラ１７が切欠き１２の縁に当接した時点からストッパーアーム２が正回転する。
ストッパーアーム２が一定角度まで正回転すると、作動ローラ１７は切欠き１２を脱出して短枝部１４の上面に移動する。この間は、送り出しアーム４が単独で正回転する。
送り出しアーム４が所定角度まで正回転した後、第１回転盤１０がさらに回転すると、突起１９は長孔１８を逆方向へ押し、送り出しアーム４は逆回転する。
【００１９】
なお、送り出しアーム４の袋受取凹部１６は正回転側に向かって開口し、ストッパーアーム２の滞留部１５は逆回転側に向かって開口している。
また、図示しないが、送り出しアーム４とストッパーアーム２の間には、ストッパーアーム２を送り出しアーム４に対して元の位置に復帰させるバネが架設される。
第１回転盤１０の回転当初には、図４に示すように、ストッパーアーム２の長枝部１３がほぼ直立し、送り出しアーム４の袋受取凹部１６がストッパーアーム２の滞留部１５よりも正回転方向の後方にあり、ストッパーアーム２の長枝部１３の上面が送り出しアーム４のテープ受け部２０の上面よりも高い位置にある。この位置を袋口受取位置とする。
【００２０】
袋口受取位置にあって、第１回転盤１０が回転を開始した時、送り出しアーム４は第１回転盤１０の回転により正回転するが、作動ローラ１７が切欠き１２の縁に達するまでストッパーアーム２は停止しているので、ストッパーアーム２の滞留部１５の開口部と送り出しアーム４の袋受取凹部１６の開口部が接近する。
さらに第１回転盤１０の回転が継続すると、ストッパーアーム２と送り出しレバー４は連動して正回転する。
ストッパーアーム２が正回転限界に達した後は送り出しアーム４が単独で正回転するため、袋受取凹部１６がストッパーアーム２の滞留部１５より先行し、送り出しアーム４のテープ受け部２０の上面が次第にストッパーアーム２の長枝部１３の上面より高くなる。
ストッパーアーム２の滞留部１５に送り出しアーム４の袋受取凹部１６が追いついて、長枝部１３の上面がテープ受け部２０の上面より低くなる位置を袋口受渡し位置とする。
さらに、図４に示すように、送り出しアーム４が正回転の限界に達した位置を袋口結束位置とする。
【００２１】
テープ移送手段は、テープリールＣから再使用可能テープＢを引き出し、その一面（粘着部Ｂ１を形成した面）を上にして送り出し手段の上面に向かって移送するものであって、図４及び図５に示すように、引き出しロール２２と、複数のガイドロール２３と、ダンサーロール２４と、ガイドプレート２５と、ソレノイドブレーキ２６とから成る。
引き出しロール２２は、図示しないモータで駆動され、このモータを駆動した時に再使用可能テープＢをテープリールＣから引き出す。
ガイドロール２３は、基台１の下方に設置されたテープリールＣから引き出された再使用可能テープＢを上方へ案内するよう適宜配置されている。
【００２２】
ダンサーロール２４は、基台１に回動可能に取り付けられた支持アーム２７の一端部に装着され、再使用可能テープＢをガイドして、再使用可能テープＢに加わる張力により揺動し、張力が増大すると上昇し、張力が減少すると下降する。
また、支持アーム２７の上方には、ダンサーロール２４が上方の揺動限界位置に達したことを検知する上限センサーＬ１が設置され、支持アーム２７の下方には、ダンサーロール２４が下方の揺動限界位置に達したことを検知する下限センサーＬ２が設置されている。
【００２３】
上限センサーＬ１及び下限センサーＬ２からの検知信号は、引き出しロール２２を駆動させるモータに送信される。そして、ダンサーロール２４が上方の揺動限界位置に達し、上限センサーＬ１が検知信号を発すると、モータが駆動して引き出しロール２２が再使用可能テープＢを引き出す。
一方、ダンサーロール２４が下方の揺動限界位置に達し、下限センサーＬ２が検知信号を発すると、モータが停止して引き出しロール２２による再使用可能テープＢの引き出しが停止する。
【００２４】
ガイドプレート２５は、テープ移送手段の末端部に配置され、再使用可能テープＢは、ガイドプレート２５によって袋口受取位置にあるストッパーアーム２の長枝部１３の上面に向かって、ストッパーアーム２及び送り出しアーム４の正回転方向の後方から送り込まれる。すなわち、再使用可能テープＢは、ストッパーアーム２の滞留部１５の開口側から送り込まれる。
なお、袋口受取位置のストッパーアーム２の長枝部１３、及び、ストッパーアーム２が袋口受渡し位置にある時の送り出しアーム４のテープ受け部２０の上方にはテープ押え部６が設置され、テープ押え部６は、再使用可能テープＢを長枝部１３或いはテープ受け部２０の上面に向けて押えるよう付勢されている。
【００２５】
ソレノイドブレーキ２６は、ダンサーロール２４とガイドプレート２５の間において、再使用可能テープＢの移送経路に設置され、作動時に再使用可能テープＢを挟持して停止させる。
ソレノイドブレーキ２６は、第１回転盤１０に取り付けられたセンサードグ２９の存在を検出する位置センサー３０に接続される。
第１回転盤１０には、周方向に沿って取付用長孔３１が形成され、取付用長孔３１の適宜位置にセンサードグ２９をネジで固定できるようになっている。
【００２６】
位置センサー３０は基台１の外面に設けられ、第１回転盤１０が所定量回転してセンサードグ２９を位置センサー３０が検知すると、位置センサー３０はソレノイドブレーキ２６に信号を発し、この結果、ソレノイドブレーキ２６が作動して再使用可能テープＢが停止する。
また、ソレノイドブレーキ２６には、テープ移送手段によるテープ移送経路の途中に設置されて、再使用可能テープＢの有無を検知するテープセンサー２８が接続されている。テープセンサー２８は、テープ移送経路に再使用可能テープＢが無いことを検知した時にソレノイドブレーキ２６へ信号を発し、ソレノイドブレーキ２６はこの信号を受けて作動し、再使用可能テープＢを停止させる。
テープセンサー２８からの信号は、ブザー、ランプ等の警報器にも送信され、ソレノイドブレーキ２６が作動するのと同時に、警報器が音あるいは光によって警報を発する。
【００２７】
ギヤロール３ａ，３ｂは、２枚の支持板７の間に上下に並べて互いに噛み合うよう配置され、図示しないモータで駆動されて、上下のギヤロール３ａ，３ｂ間に袋Ａの袋口部を挟んで幅方向に送る。ギヤロール３ａ，３ｂの送り方向は、ストッパーアーム２及び送り出しアーム４の回転方向と平行である。
また、ギヤロール３ａ，３ｂ間の袋搬送路の出口は、袋口受取位置にあるストッパーアーム２の滞留部１５の開口に臨んでいる。
ギヤロール３ａ，３ｂ間の袋搬送路には、袋Ａが進入したことを検知して回転盤駆動モータ８に信号を送る袋センサー（図示せず）が設置され、袋センサーからの検知信号を受けて回転盤駆動モータ８が作動するようになっている。
なお、一方の支持板７の外側には、ギヤロール３ａ，３ｂと連動して回動し、袋Ａの袋口部よりも底部寄りを挟んで幅方向に送る一対の袋送りローラ２１ａ，２１ｂが設けられている。
【００２８】
カッター５は、揺動アーム３２と、揺動アーム３２の一端部に先端を下に向けて装着された切断刃３３とから成り、揺動アーム３２の他端部は２枚の支持板７間に架設された回動軸３４に固定されている。
回動軸３４は、カム機構３５を介して駆動軸９に固定された第２回転盤１１に接続されている。従って、回転盤駆動モータ８が作動して第２回転盤１１が所定量回転すると、揺動アーム３２が揺動し、切断刃３３が上下動する。
切断刃３３の軌道は、袋口結束位置にある送り出しアーム４のテープ受け部２０とテープ押え部６との間において、再使用可能テープＢの送り出し経路を横切っている。
【００２９】
次に、再使用可能テープ結束機による結束手順を説明する。
再使用可能テープ結束機の作動開始時には、図９の（ア）に示すように送り出し手段は袋口受取位置にあり、図４に示すように、送り出しアーム４の袋受取凹部１６がストッパーアーム２の滞留部１５よりテープ移送方向上流側の低い位置にあり、カッター５の切断刃３３が上昇している。
また、予め、テープリールＣから引き出した再使用可能テープＢを、テープ移送手段による移送経路を経由して、ストッパーアーム２の長枝部１３の上面とテープ押え部６との間に一面を上にして通し、粘着部Ｂ１を袋口受取位置のストッパーアーム２の長枝部１３に臨ませると共に、その先端側に位置する非粘着部Ｂ２を長枝部１３の上面から突出させておく。
【００３０】
再使用可能テープ結束機を作動させるとギヤロール３ａ，３ｂが回動し、図９の（イ）に示すように、内容物を収納した袋Ａが上下のギヤロール３ａ，３ｂ間に進入すると、袋センサーがこれを検知して回転盤駆動モータ８を駆動させ、第１回転盤１０及び第２回転盤１１が回転を開始する。
袋Ａは、袋口部の幅方向が再使用可能テープＢの送り方向に沿い、且つ、袋口部が再使用可能テープＢの上方を通るよう、上下のギヤロール３ａ，３ｂ間に挿入される。
【００３１】
第１回転盤１０が回転すると送り出しアーム４が正回転し、次いで、ストッパーアーム２が正回転する。
また、ギヤロール３ａ，３ｂ間に進入した袋Ａの袋口部は、ギヤロール３ａ，３ｂの周面の凹凸で幅方向に押し縮められ、図９の（ウ）に示すように、再使用可能テープＢを押し下げながら落下して、袋口受取位置で停止しているストッパーアーム２の滞留部１５に送り込まれる。
この時、押し縮められた袋口部は再使用可能テープＢの粘着部Ｂ１に貼りつけられる。
【００３２】
図９の（エ）に示すように、送り出し手段が袋口受渡し位置に達すると、ストッパーアーム２の長枝部１３に後方から追いついた送り出しアーム４の袋受取凹部１６が、ストッパーアーム２の滞留部１５に押し込まれている袋口部及び再使用可能テープＢの袋貼着部分を掬い取り、送り出しアーム４は袋口結束位置に向かってさらに正回転する。
すると、図９の（オ）に示すように、再使用可能テープＢはテープ押え部６で押えられながら送り出され、袋Ａの袋口部及び再使用可能テープＢの袋貼着部分は、粘着部Ｂ１どうしが対向するようテープ先端側へ折り返される。
この結果、再使用可能テープＢの粘着部Ｂ１が袋口部に巻き付いて互いに接着され、袋口部が再使用可能テープＢで結束される。
なお、送り出しアーム４の袋口部を受け渡した後、ストッパーアーム２は下方に回動して袋口部及び再使用可能テープＢを通過させる。
【００３３】
また、送り出しアーム４によって再使用可能テープＢが送り出されると、再使用可能テープＢに加わる張力が増すのでダンサーロール２４が上昇する。そして、上限センサーＬ１が支持アーム２７の存在を検知すると引き出しロール２２が作動して、テープリールＣから再使用可能テープＢを引き出す。
再使用可能テープＢが十分に引き出されると、再使用可能テープＢに加わる張力が低下するのでダンサーロール２４が下降する。下限センサーＬ２が支持アーム２７の存在を検知すると引き出しロール２２が停止し、再使用可能テープＢの引き出しが停止する。
【００３４】
一方、第１回転盤１０の回転と共に第２回転盤１１も回転し、図９の（カ）に示すように、送り出しアーム４が袋口結束位置に達した時に、第２回転盤１１にカム機構３５を介して接続されたカッター５が作動し、切断刃３３が下降して再使用可能テープＢの非粘着部Ｂ２を切断する。
すると、袋Ａの袋口部を結束した再使用可能テープＢの両端部が非粘着部Ｂ２となり、互いに接着されずに開いているので、図２に示すように、両端の非粘着部Ｂ２を摘まんで引き離すことにより、簡単に粘着部Ｂ１を剥がして袋Ａを開封することができる。
【００３５】
カッター５が作動した時、再使用可能テープＢの非粘着部Ｂ２が切断刃３３の軌道上に位置し、粘着部Ｂ１が袋口受取位置にあるストッパーアーム２の長枝部１３に臨む位置に達していなければならない。
従って、カッター５で再使用可能テープＢを切断する前にソレノイドブレーキ２６を作動させ、再使用可能テープＢを停止させて位置決めしておく。
ソレノイドブレーキ２６は、位置センサー３０が第１回転盤１０に取り付けられたセンサードグ２９を検知した時に作動するので、センサードグ２９は、第１回転盤１０において、切断刃３３による再使用可能テープＢの切断時より少し前のタイミングで位置センサー３０に達する位置に取り付けられる。
【００３６】
ソレノイドブレーキ２６が作動するタイミングは、袋Ａの寸法や、再使用可能テープＢの粘着部Ｂ１及び非粘着部Ｂ２の長さに応じて、センサードグ２９の取付位置を取付用長孔３１に沿ってずらすことにより調整することができる。
送り出し手段が袋口結束位置に達し、カッター５が作動した後も、第１回転盤１０及び第２回転盤１１は回転を継続し、送り出し手段は元の位置に復帰し、カッター５の切断刃３３は上昇する。
【００３７】
なお、本発明の再使用可能テープ結束機の構造は上記実施例に限定されない。
例えば、第１回転盤１０と送り出しアーム４、送り出しアーム４とストッパーアーム２を、互いに係合するカム溝及び摺動突起を介して連結しても良い。
また、第２回転盤１１と回動軸３４との間に介在されるカム機構３５も図示のものに限らない。
【符号の説明】
【００３８】
Ａ    袋
Ｂ    再使用可能テープ
Ｂ１  粘着部
Ｂ２  非粘着部
Ｃ    テープリール
Ｌ１  上限センサー
Ｌ２  下限センサー
１    基台
２    ストッパーアーム
３ａ，３ｂ  ギヤロール
４    送り出しアーム
５    カッター
６    テープ押え部
７    支持板
８    回転盤駆動モータ
９    駆動軸
１０  第１回転盤
１１  第２回転盤
１２  切欠き
１３  長枝部
１４  短枝部
１５  滞留部
１６  袋受取凹部
１７  作動ローラ
１８  長孔
１９  突起
２０  テープ受け部
２１ａ，２１ｂ  袋送りローラ
２２  引き出しロール
２３  ガイドロール
２４  ダンサーロール
２５  ガイドプレート
２６  ソレノイドブレーキ
２７  支持アーム
２８  テープセンサー
２９  センサードグ
３０  位置センサー
３１  取付用長孔
３２  揺動アーム
３３  切断刃
３４  回動軸
３５  カム機構
【図３】
0005496249.tif 000002
【図６】
0005496249.tif 000003
【図７】
0005496249.tif 000004
【図８】
0005496249.tif 000005
【図９】
0005496249.tif 000006
【図１】
0005496249.tif 000007
【図２】
0005496249.tif 000008
【図４】
0005496249.tif 000009
【図５】
0005496249.tif 000010